(57)【要約】【課題】単価変更の操作を簡単にしかも間違えることがないように行なうことができるラベル発行機を提供すること。【解決手段】商品毎に単価を含む商品情報を記憶するＰＬＵファイル１３ｐと、登録モードの商品呼び出し画面に表示された単価を変更する変更手段１１と、この変更手段１１により変更された単価を自動的にＰＬＵファイル１３ｐに順番に記憶させる手段１１とを備える。【選択図】    図１
2004206642.tif 000002
【特許請求の範囲】
【請求項１】
商品毎に単価を含む商品情報を記憶するＰＬＵファイルと、
登録モードの商品呼び出し画面に表示された単価を変更する変更手段と、
この変更手段により変更された単価を自動的に上記ＰＬＵファイルに順番に記憶させる手段とを具備したことを特徴とするラベル発行機。
【請求項２】
表示部と、
商品毎に複数の単価を含む商品情報を記憶するＰＬＵファイルと、
前記表示部の登録モードの商品呼び出し画面に、上記ＰＬＵファイルに記憶されている複数の単価を一覧表示させる手段とを具備したことを特徴とするラベル発行機。
【発明の詳細な説明】
【０００１】
【発明の属する技術分野】
本発明は、ラベルに商品名、単価等を印字するラベル発行機に関する。
【０００２】
【従来の技術】
ラベルに商品名、単価等を印字するラベル発行機がスーパーマッケット等に使用されている。単価について複数の単価データを格納するラベル発行装置が知られている（特許文献１）。
【０００３】
スーパーマーケット等においては、生鮮食品の単価変更操作は、業務中に頻繁に行なわれている。例えば、タイムサービス、閉店間際には値下げが行なわれる。さらに、日々の仕入れ先の変更、商品の供給量、天候等によっても単価は変更される。
【０００４】
例えば、ラベル発行機の登録画面が図９に示すように表示されている場合の単価変更操作について説明する。つまり、単価変更操作は変更したい単価を数字キーで入力し、その後単価表示エリアを押下げするようにしていた。
【０００５】
例えば、図９に示すように、登録画面が表示されている状態で、単価「１２８０円」を「１２００円」に変更する場合のキー操作は、「１」、「２」、「０」、「０」、「単価表示欄」となる。
【０００６】
【特許文献１】
特開平３−９２２５号公報
【０００７】
【発明が解決しようとする課題】
このようにキー操作が行なわれるため、忙しい時間帯のキー操作は１つでも多いと煩わしく、キー入力ミスを発生させる可能性がある。
【０００８】
このようにキー入力ミスが発生すると、顧客に対するサービスが低下するという問題が発生する。
【０００９】
本発明は上記の点に鑑みてなされたもので、その目的は、単価変更の操作を簡単にしかも間違えることがないように行なうことができるラベル発行機を提供することにある。
【００１０】
【課題を解決するための手段】
本発明は、登録モードの商品呼び出し画面に表示された単価が変更された場合には、その変更された単価を自動的にＰＬＵファイルに順番に記憶させるように構成されている。
【００１１】
【発明の実施の形態】
以下図面を参照して本発明の一実施の形態について説明する。図１はラベル発行機のシステム構成を示すブロック図である。図において、１１はラベル発行機全体を制御するＣＰＵ（中央処理装置）である。このＣＰＵ１１からのシステムバス１１ａには、各種プログラムをフラッシュＲＯＭ（リード・オンリ・メモリ）１２、商品番号毎に商品名、複数の単価等の商品情報を記憶するＰＬＵファイル１３ｐの他各種データが記憶されるＲＡＭ（ランダム・アクセス・メモリ）１３、商品の計量を行なうロードセルユニット１４からの重量データを取り込む秤インタフェース１５、上位からの各種設定データの送受信を行なうEthernetインタフェース１６、第２プリンタユニット１７との通信を行う第２プリンタインタフェース１８、数字キー等の入力データを行なうキーボード、ラベル発行時の単価変更操作や各種設定を行なうタッチパネル１９からの入力データを取り込むキーコントローラ２０、商品呼び出しの際に複数の単価を表示、各種設定画面表示等を行うＬＣＤ２１及びＬＥＤ２２の表示制御を行う表示コントローラ２３、ラベル発行を行う第１プリンタユニット２４の制御を行う第１プリンタエンジン２５、透過、反射、温度等の各種センサ２６とのデータの受け渡しを行うＩ／Ｏポート２７が接続されている。なお、ＲＡＭ１３には後述するメモリ記憶カウンタＭＣが設けられている。
【００１２】
次に、図２を参照してラベル発行機の斜視図について説明する。図において、３１は計量される商品が載置されるのせ皿、３２ａははかり３２の水平を調整する調整脚、３３は電源スイッチである。のせ皿３１の下側には前述したロードセルユニット１４が搭載されている。また、２１は前述したＬＣＤ、１９は前述したキーボードである。
【００１３】
また、３４は前述した第１プリンタユニット２４で印刷されたラベルが発行されるラベル発行口である。
【００１４】
また、キーボード１９には図３に示すようなキーが設けられている。つまり、「０」〜「９」までのテンキー、４１は置数データのクリアを行う「消」キー４１、ラベルを発行するときに操作する「発行」キー４２、風袋量を登録及びクリアするときに操作する「風」キー４３、直前訂正するときに操作する「訂正」キー４４、定額品番計量品番の切換を行う「定額／計量」キー４５、ラベルを送るときに使用する「紙送り」キー４６、品番を呼び出すときに操作する「品番」キー４７等が設けられている。
【００１５】
さらに、図４を参照してＰＬＵファイル１３ｐの詳細な構成について説明する。ＰＬＵファイル１３ｐは、商品番号毎に商品名や複数の単価等が記憶されている。例えば、商品番号「000001」には商品名「牛肩肉」が記憶され、その単価として単価１〜３まで設定されている。このようにＰＬＵファイル１３ｐには、商品番号毎に複数の単価（この実施の形態では６個）を記憶する領域が設けられている。
【００１６】
次に、上記ように構成された本発明の一実施の形態の動作について説明する。まず、電源スイッチ３３をオンすると、登録モードの商品呼び出し画面が表示される。
【００１７】
登録モードにおいて、キーボード１９のテンキーで品番を入力した後、「品番」キー４７が操作されると、ＰＬＵファイル１３ｐが検索されて入力された品番に対応した商品情報がＬＣＤ２１に表示される。
【００１８】
例えば、品番として「000003」が入力された場合には、図７に示すような登録モードとなる。
【００１９】
つまり、ＬＣＤ２１にはＰＬＵファイル１３ｐに記憶されている品番「000003」の商品名「牛ロースすき焼き用」の商品情報が表示される。品番「000003」の商品名「牛ロースすき焼き用」は、図４に示すように単価１〜単価４までの４つの単価が記憶されている。
【００２０】
ＬＣＤ２１へのＰＬＵファイル１３ｐに記憶されている商品情報の表示は、図６に示すフローチャートにより行われる。つまり、品番の呼出操作が前述したように行われる（ステップS１）。次に、入力された品番がＰＬＵファイル１３ｐにあるかが検索される（ステップS２）。
【００２１】
そして、入力された品番がＰＬＵファイル１３ｐに有るか否かが判定される（ステップS３）。このステップS３の判定で「ＹＥＳ」つまり、ＰＬＵファイル１３ｐに該当する品番があると判定された場合には、そのＰＬＵファイル１３ｐに記憶されている品番等の商品情報がＬＣＤ２１へ表示される（ステップS４）。さらに、ＰＬＵファィル１３ｐに記憶されている複数の単価が一覧表にしてＬＣＤ２１に表示される（ステップS５）。
【００２２】
複数の単価を一覧表にして表示する表示領域２１ａには、最大で６つ、つまり単価１〜単価６が表示可能である。
【００２３】
品番「000003」の商品名「牛ロースすき焼き用」は単価１〜単価４まで４つの単価が設定されているため、表示領域２１ａには４つの単価が表示される。
【００２４】
さらに、表示領域２１ａの単価１のデータは、画面中央の単価表示欄２１ｂに表示される。
【００２５】
一方、ステップS３の判定で「ＮＯ」と判定された場合には、品番呼出エラー表示がなされる（ステップS６）。
【００２６】
このようにして、登録モードにおいて、品番が指定されると、その品番の商品情報がＰＬＵファイル１３ｐより呼び出されてＬＣＤ２１に表示される。この際に、ＰＬＵファイル１３ｐに複数の単価が設定されている場合には、６つまでの単価が表示領域２１ａに一覧表示される。このように単価を一覧表示したので、オペレータはどのような単価が設定されているか一目瞭然に分かる。また、オペレータは表示されている単価の一つを選択すれば、過去に用いた単価を設定できるので、単価変更操作を簡単に行うことができる。
次に、図７に示すように、ＬＣＤ２１に品番「000003」に対する商品情報が表示されているときに、単価を変更する場合の動作に図５のフローチャートを参照して説明する。
【００２７】
例えば、単価「1280円」を「1200円」に変更する場合について説明する。
【００２８】
このような場合には、キーボード１９のテンキーで「１」、「２」、「０」、「０」を入力した後、単価「1280円」が表示されている単価表示欄２１ｂをタッチする。
【００２９】
図５のフローチャートにおいて、変更単価＝０であるかが判定される（ステップS１１）。変更単価とは、単価表示欄２１ｂに表示されていて、タッチされることにより変更されるべき単価を意味している。変更単価＝０とは、単価の変更を行わないことを意味する。つまり、単価表示欄２１ｂがタッチされていないことを意味する。従って、ステップS１１の判定で「ＹＥＳ」と判定される場合には、リターンされ、単価変更処理は行われない。
【００３０】
一方、前述したように単価表示欄２１ｂがタッチされた場合には、このステップS１１で「ＮＯ」と判定され、メモリ記憶カウンタＭＣに１がセットされる（ステップS１２）。このメモリ記憶カウンタＭＣのカウンタ値は、ＰＬＵファイル１３ｐの単価１〜単価６がどの位置に記憶されているかを示している。
【００３１】
そして、ＭＣ内単価＝０であるかが判定される（ステップS１３）。ここで、ＭＣ内単価とは、メモリ記憶カウンタＭＣのカウンタ値で指定されたＰＬＵファイル１３ｐの領域に記憶されている単価を意味する。ＰＬＵファイル１３ｐには、６つの単価（単価１〜単価６）が設定できるので、ＭＣ＝１は単価１、ＭＣ＝２は単価２、…ＭＣ＝６は単価６に対応している。
【００３２】
ステップS１３において「ＮＯ」と判定された場合には、ＭＣ内単価＝変更単価であるかが判定される（ステップS１４）。つまり、ＭＣ＝１で指定されたＰＬＵファイル１３ｐの単価１と単価表示欄２１ｂに表示されている単価とが同じであるかが判定される。
【００３３】
このステップS１４の判定で「ＮＯ」と判定された場合には、ＭＣ＝ＭＣ＋１とされ、メモリ記憶カウンタＭＣの内容が更新される（ステップS１５）。
【００３４】
次に、ＭＣ＝７となったかが判定される（ステップS１６）。このステップS１６において「ＮＯ」と判定された場合には、前述したステップS１３以降の処理が繰り返される。
【００３５】
つまり、単価変更が指示された場合には、ＭＣ内単価＝０、つまりＰＬＵファイル１３ｐ内の空いている場所が検索される。
【００３６】
そして、ステップS１３の判定で「ＹＥＳ」と判定されると、ＭＣ内単価移動処理が行われる（ステップS１７）。例えば、図７に示すように単価１〜単価４が予め設定されている状態で、「1200」を新たな単価として追加した場合には、ステップS１３でＭＣ＝５内の単価が「０」と判定される。このため、
ＭＣ内単価移動処理として単価１〜単価４を単価２〜単価５に移動させる処理がなされる。
【００３７】
次に、変更後の単価を単価１としてＰＬＵファイル１３ｐの先頭にセットされる（ステップS１８）。次に、メモリ記憶カウンタＭＣ＝０とされてリターンされる（ステップS１９）。
【００３８】
ところで、ステップS１４において「ＹＥＳ」と判定された場合には、メモリ記憶カウンタＭＣ＝１であるかが判定される（ステップS２０）。
【００３９】
ところで、ステップS１４において「ＹＥＳ」ということは、変更後の単価がすでにＰＬＵファイル１３ｐに単価として登録されている場合を意味する。そして、変更後の単価がすでにＰＬＵファイル１３ｐに単価として登録されていて、ＭＣ＝１、つまりＰＬＵファイル１３ｐの先頭に変更後の単価が登録されていれば、単価を登録する必要はないので、ステップS１９に進んで単価変更処理が終了する。
【００４０】
一方、ステップS２０の判定で「ＮＯ」、つまりＭＣは２以上、つまり単価が少なくとも２つ以上あると判定された場合には、変更単価と同じ場所に記憶されていたＭＣ内単価を削除して、そのＭＣ内単価より前に記憶されていた単価を１つずつ後ろに移動させるＭＣ内単価移動処理が行われる（ステップS１７）。そして、変更後の単価を単価１としてＰＬＵファイル１３ｐの先頭にセットされる（ステップS１８）。
【００４１】
以上のようにして、ＰＬＵファイル１３ｐに、変更単価が単価１として記憶され、変更前に単価１〜単価４であったものは、単価２〜単価５へと移動される。
【００４２】
従って、前述した図６のフローチャートの処理によりＬＣＤ２１の表示画面は、図８に示すように切り替わる。
【００４３】
このように、ラベル発行画面において、簡単な操作で単価変更処理ができるので、作業効率が上がり、操作ミスも防止することができる。
【００４４】
この実施の形態では、キーボード１９のテンキーで新しい単価を入力したが、表示領域２１ａに一覧表示させている単価をタッチされた場合には、その単価単価表示欄２１ｂに表示されるとともに、ＰＬＵファイル１３ｐ内においても、最新の単価を記憶する図５のフローチャートと同様な処理により単価１に記憶される。
【００４５】
なお、上記した実施の形態では、ＰＬＵファイル１３ｐに複数の単価が設定されていた場合には、図６のフローチャートの処理により実施の形態では最大６個まで複数の単価を一覧表に表示させるようにしたが、複数の単価を一覧表として表示するか否かは、オペレータが選択できるように構成しても良い。つまり、ステップS４とＳ５との間に判断ステップを設け、複数の単価を一覧表として表示するかをオペレータに問うようにしても良い。
【００４６】
さらに、設定モードにおいて、複数の単価を一覧表として表示するかを選択できるようにしておいても良い。
【００４７】
【発明の効果】
以上詳述したように本発明によれば、単価変更の操作を簡単にしかも間違えることがないように行なうことができるラベル発行機を提供することができる。
【図面の簡単な説明】
【図１】本発明の一実施の形態に係るラベル発行機のシステム構成を示すブロック図。
【図２】同実施の形態に係るラベル発行機の外観図。
【図３】同実施の形態に係るラベル発行機のキー入力部を示す図。
【図４】同実施の形態に係るＰＬＵファイルの構成を示す図。
【図５】同実施の形態の動作を説明するためのフローチャート。
【図６】同実施の形態の動作を説明するためのフローチャート。
【図７】同実施の形態に係る商品呼び出しの表示画面を示す図。
【図８】同実施の形態に係る商品呼び出しの表示画面を示す図。
【図９】従来のラベル発行機の商品呼び出しの表示画面を示す図。
【符号の説明】
１３…ＰＬＵファイル、
１３ｐ…第２プリンタユニット１７、
１４…ロードセル、
【図１】
2004206642.tif 000003
【図２】
2004206642.tif 000004
【図３】
2004206642.tif 000005
【図４】
2004206642.tif 000006
【図５】
2004206642.tif 000007
【図６】
2004206642.tif 000008
【図７】
2004206642.tif 000009
【図８】
2004206642.tif 000010
【図９】
2004206642.tif 000011